(57)【特許請求の範囲】
【請求項１】
コンピュータが実行する、
ユーザを特定するためのユーザ識別子と、購入に応じて特典が付与される対象商品の購入時における特典付与の申込を示す申込情報とを前記ユーザから取得するステップと、
前記申込情報と前記ユーザ識別子とを関連付けて記憶部に記憶させるステップと、
店舗端末から、一以上の商品の決済に用いるための決済情報と、前記一以上の商品のうち一以上の前記対象商品を特定するための特典対象商品情報とを受け付けるとともに、ユーザが店舗で決済するための決済用コードの取得要求を受け付けるステップと、
前記取得要求を受け付けると、前記決済用コードを生成するための決済用トークンを生成するステップと、
生成した前記決済用トークンと、前記特典対象商品情報とを関連付けて前記記憶部に記憶させるステップと、
生成した前記決済用トークンを前記店舗端末に送信するステップと、
前記決済用トークンに基づいて前記店舗端末が表示した前記決済用コードを読み取ったユーザ端末から、前記決済用トークンと、前記ユーザ識別子とを受信するステップと、
前記ユーザ端末から受信した前記ユーザ識別子に関連付けられて前記記憶部に記憶されている前記申込情報と、前記ユーザ端末から受信した前記決済用トークンに関連付けられて前記記憶部に記憶されている前記特典対象商品情報とが対応している場合に、前記ユーザに前記申込情報に対応する特典を付与するステップと、
を有する特典付与方法。
【請求項２】
前記特典を付与するステップにおいて、前記コンピュータは、前記特典としての金額の割引を、前記決済に対応する決済金額に適用し、
前記コンピュータが実行する、前記特典が適用された決済金額に基づいて決済を行うステップをさらに有する、
請求項１に記載の特典付与方法。
【請求項３】
前記特典を付与するステップにおいて、前記コンピュータは、前記ユーザ端末から受信した前記決済用トークンが、前記記憶部に記憶されているか否かを判定することにより、前記ユーザ端末から受信した前記決済用トークンと、前記店舗端末に送信された前記決済用トークンが一致するか否かを判定し、一致すると判定した場合に、前記ユーザに前記申込情報に対応する特典を付与する、
請求項１又は２に記載の特典付与方法。
【請求項４】
前記コンピュータが実行する、前記店舗端末が決済対象の一以上の商品の中から一以上の前記対象商品を特定することにより生成した前記特典対象商品情報を前記店舗端末から受信するステップをさらに有する、
請求項１から３のいずれか１項に記載の特典付与方法。
【請求項５】
前記コンピュータが実行する、前記ユーザ識別子及び前記申込情報を受信すると、所定の条件に基づいて、前記特典付与の申込を受け付けるか否かを判定するステップをさらに有し、
前記記憶させるステップにおいて、前記コンピュータは、前記判定するステップにおいて前記特典付与の申込を受け付けると判定した場合に、前記申込情報と前記ユーザ識別子とを関連付けて記憶部に記憶させる、
請求項１から４のいずれか１項に記載の特典付与方法。
【請求項６】
前記判定するステップにおいて、前記コンピュータは、前記申込情報を受信した順番に基づいて前記特典付与の申込を受け付けるか否かを判定する、
請求項５に記載の特典付与方法。
【請求項７】
前記判定するステップにおいて、前記コンピュータは、抽選に基づいて前記特典付与の申込を受け付けるか否かを判定する、
請求項５又は６に記載の特典付与方法。
【請求項８】
前記コンピュータは、前記申込情報を受信したタイミングで前記判定するステップを実行する、
請求項５から７のいずれか１項に記載の特典付与方法。
【請求項９】
前記特典を付与するステップにおいて、前記コンピュータは、前記申込情報に対応する特典を付与するか否かを判定し、前記申込情報に対応する特典を付与すると判定した場合に、前記申込情報に対応する特典を付与する、
請求項１から８のいずれか１項に記載の特典付与方法。
【請求項１０】
前記申込情報には、複数の対象商品を示す情報が含まれており、
前記特典を付与するステップにおいて、前記コンピュータは、受信した前記特典対象商品情報に、前記申込情報に含まれる前記複数の商品が含まれている場合に、前記ユーザに前記申込情報に対応する特典を付与する、
請求項９に記載の特典付与方法。
【請求項１１】
前記特典を付与するステップにおいて、前記コンピュータは、前記ユーザ識別子に対応するユーザの前記申込情報に対応する前記対象商品の購入回数に基づいて、前記申込情報に対応する特典を付与する、
請求項１から１０のいずれか１項に記載の特典付与方法。
【請求項１２】
前記特典を付与するステップにおいて、前記コンピュータは、前記ユーザ識別子に対応するユーザが前記申込情報に対応する前記対象商品を初めて購入した場合に、前記申込情報に対応する特典を付与する、
請求項９又は１０に記載の特典付与方法。
【請求項１３】
前記特典を付与するステップにおいて、前記コンピュータは、前記申込情報を受信した順番に基づいて、前記申込情報に対応する特典を付与する、
請求項１から１２のいずれか１項に記載の特典付与方法。
【請求項１４】
前記特典を付与するステップにおいて、前記コンピュータは、抽選に基づいて前記申込情報に対応する特典を付与する、
請求項１から１３のいずれか１項に記載の特典付与方法。
【請求項１５】
ユーザを特定するためのユーザ識別子と、購入に応じて特典が付与される対象商品の購入時における特典付与の申込を示す申込情報とを前記ユーザから取得すると、前記申込情報と前記ユーザ識別子とを関連付けて記憶部に記憶させる申込受付部と、
店舗端末から、一以上の商品の決済に用いるための決済情報と、前記一以上の商品のうち一以上の前記対象商品を特定するための特典対象商品情報とを受け付けるとともに、ユーザが店舗で決済するための決済用コードの取得要求を受け付けると、前記決済用コードを生成するための決済用トークンを生成し、生成した前記決済用トークンと、前記特典対象商品情報とを関連付けて前記記憶部に記憶させるとともに、生成した前記決済用トークンを前記店舗端末に送信するトークン生成部と、
前記決済用トークンに基づいて前記店舗端末が表示した前記決済用コードを読み取ったユーザ端末から、前記決済用トークンと、前記ユーザ識別子とを受信するトークン受信部と、
前記ユーザ端末から受信した前記ユーザ識別子に関連付けられて前記記憶部に記憶されている前記申込情報と、前記ユーザ端末から受信した前記決済用トークンに関連付けられて前記記憶部に記憶されている前記特典対象商品情報とが対応している場合に、前記ユーザに前記申込情報に対応する特典を付与する特典付与部と、
を有する特典付与装置。
【発明の詳細な説明】
【技術分野】
【０００１】
本発明は、特典付与方法及び特典付与装置に関する。
【背景技術】
【０００２】
ＱＲコード（登録商標）等の二次元バーコードを用いたコード決済が普及している（例えば、特許文献１、特許文献２を参照）。コード決済は、店舗側が表示した二次元バーコードをユーザ端末により読み取るか、ユーザ端末が表示した二次元バーコードを店舗側が読み取ることにより決済が行われる。
【先行技術文献】
【特許文献】
【０００３】
【特許文献１】特許６５２８１６０号公報
【特許文献２】特許６４７３５３９号公報
【発明の概要】
【発明が解決しようとする課題】
【０００４】
従来のコード決済では、決済時に支払額を減額するという特典を付与することができるものの、特定の商品の購入に応じて、決済時に特典を付与することができないという問題があった。
【０００５】
そこで、本発明はこれらの点に鑑みてなされたものであり、特定の商品の購入に基づいて決済時に特典を付与することができる特典付与方法及び特典付与装置を提供することを目的とする。
【課題を解決するための手段】
【０００６】
本発明の第１の態様に係る特典付与方法は、コンピュータが実行する、ユーザを特定するためのユーザ識別子と、購入に応じて特典が付与される対象商品の購入時における特典付与の申込を示す申込情報とを前記ユーザから取得するステップと、前記申込情報と前記ユーザ識別子とを関連付けて記憶部に記憶させるステップと、店舗端末から、一以上の商品の決済に用いるための決済情報と、前記一以上の商品のうち一以上の前記対象商品を特定するための特典対象商品情報とを受け付けるとともに、ユーザが店舗で決済するための決済用コードの取得要求を受け付けるステップと、前記取得要求を受け付けると、前記決済用コードを生成するための決済用トークンを生成するステップと、生成した前記決済用トークンと、前記特典対象商品情報とを関連付けて前記記憶部に記憶させるステップと、生成した前記決済用トークンを前記店舗端末に送信するステップと、前記決済用トークンに基づいて前記店舗端末が表示した前記決済用コードを読み取ったユーザ端末から、前記決済用トークンと、前記ユーザ識別子とを受信するステップと、前記ユーザ端末から受信した前記ユーザ識別子に関連付けられて前記記憶部に記憶されている前記申込情報と、前記ユーザ端末から受信した前記決済用トークンに関連付けられて前記記憶部に記憶されている前記特典対象商品情報とが対応している場合に、前記ユーザに前記申込情報に対応する特典を付与するステップと、を有する。
【０００７】
本発明の第２の態様に係る特典付与装置は、ユーザを特定するためのユーザ識別子と、購入に応じて特典が付与される対象商品の購入時における特典付与の申込を示す申込情報とを前記ユーザから取得すると、前記申込情報と前記ユーザ識別子とを関連付けて記憶部に記憶させる申込受付部と、店舗端末から、一以上の商品の決済に用いるための決済情報と、前記一以上の商品のうち一以上の前記対象商品を特定するための特典対象商品情報とを受け付けるとともに、ユーザが店舗で決済するための決済用コードの取得要求を受け付けると、前記決済用コードを生成するための決済用トークンを生成し、生成した前記決済用トークンと、前記特典対象商品情報とを関連付けて前記記憶部に記憶させるとともに、生成した前記決済用トークンを前記店舗端末に送信するトークン生成部と、前記決済用トークンに基づいて前記店舗端末が表示した前記決済用コードを読み取ったユーザ端末から、前記決済用トークンと、前記ユーザ識別子とを受信するトークン受信部と、前記ユーザ端末から受信した前記ユーザ識別子に関連付けられて前記記憶部に記憶されている前記申込情報と、前記ユーザ端末から受信した前記決済用トークンに関連付けられて前記記憶部に記憶されている前記特典対象商品情報とが対応している場合に、前記ユーザに前記申込情報に対応する特典を付与する特典付与部と、を有する。
【発明の効果】
【０００８】
本発明によれば、特定の商品の購入に基づいて決済時に特典を付与することができるという効果を奏する。
【図面の簡単な説明】
【０００９】
【図１】決済システムの概要を示す図である。
【図２】決済装置の機能構成を示す図である。
【図３】ユーザ端末の機能構成を示す図である。
【図４】店舗端末の機能構成を示す図である。
【図５】記憶部が記憶している申込管理情報の一例を示す図である。
【図６】特典付与システムの動作シーケンス図である。
【図７】ユーザが商品を購入する前に、店舗端末が決済用コードの取得要求を行うときの決済システムの動作シーケンス図である。
【発明を実施するための形態】
【００１０】
［決済システムＳの概要］
図１は、決済システムＳの概要を示す図である。決済システムＳは、決済装置１と、ユーザ端末２と、店舗端末３とを備える。決済システムＳは、ユーザが店舗において商品を購入する場合に、店舗端末３からの要求に応じて決済用コードを店舗端末３に表示させ、ユーザ端末２で決済用コードを読み取ったことを決済装置１で特定したことに応じて決済を行うシステムである。決済システムＳは、決済時にユーザに特典を付与する特典付与システムとして機能する。決済用コードは、ユーザ端末２において読み取れるテキスト又は画像であり、決済時に用いられるコードである。
【００１１】
決済装置１は、購入金額の決済を行うサーバである。決済装置１は、ユーザに特典を付与する特典付与装置としても機能する。本実施形態において、特典は、特定の商品をユーザが購入することに応じて付与される。以下の説明において、特典が付与される特定の商品を対象商品という。
【００１２】
ユーザ端末２は、ユーザが使用する情報端末であり、例えばスマートフォン、タブレット又はパーソナルコンピュータである。特典を提供する商品の販売事業者は、インターネットを介した広告配信機能等を利用して、ユーザ端末２に特典の付与に関する情報を提供する。
【００１３】
ユーザは、特典付与の申込を予め行うことにより、対象商品の購入時に特典の付与を受けることができる。以下、図１を参照しながら、商品の代金の決済及び特典の付与が行われるまでの流れを説明する。
【００１４】
ユーザは、ユーザ端末２において、特典付与の申込操作を行う（図１における（１））。一例として、ユーザが、決済用のアプリケーションソフトウェアを起動して、ユーザを識別するユーザ識別子としてのユーザＩＤを入力すると、ユーザ端末２は、ユーザＩＤを決済事業者に送信して、アプリケーションにログインする。そして、ユーザ端末２は、決済事業者のサーバに、ユーザが申込可能な特典を問い合わせる。
【００１５】
決済事業者のサーバは、特典を識別する特典ＩＤと、特典の内容と、対象商品を識別する商品識別情報としての商品ＩＤと、商品名とを関連付けて記憶している。決済事業者のサーバは、ユーザが申込可能な特典の特典ＩＤを記憶媒体（例えばハードディスク）から読み出して、読み出した特典ＩＤに対応する特典の内容、商品ＩＤ及び商品名をユーザ端末２に送信する。
【００１６】
ユーザ端末２は、受信した特典の内容、商品ＩＤ及び商品名を表示する。ユーザが、申込を行う特典を選択する操作を行うと、ユーザ端末２は、選択された特典の付与の申込を示す申込情報と、ユーザＩＤとを決済装置１に送信する（図１における（２））。申込情報には、例えば、店舗を識別する店舗ＩＤ、対象商品の商品ＩＤ及び特典の内容が含まれている。決済装置１は、申込情報とユーザＩＤとを受信すると、申込情報とユーザＩＤとを関連付けて記憶する（図１における（３））。
【００１７】
その後、ユーザは、店舗に移動し、店舗において対象商品を含む商品の購入を行う。店舗における店員は、ユーザが店舗において会計を行う場合に、店舗端末３において購入対象の商品に付されたバーコードを読み取り、ユーザが購入する商品の合計額を示す決済情報と、対象商品を特定するための特典対象商品情報とを店舗端末３に生成させる。特典対象商品情報は、ユーザが店舗で購入する商品のうち、特典が付与される対象商品を特定するための情報であり、対象商品の商品ＩＤが含まれる。
【００１８】
また、店員は、店舗端末３において、決済用コードを店舗端末３に表示させるための操作を行う。店舗端末３は、決済用コードの取得要求と、決済情報と、店舗を識別する店舗ＩＤと、特典対象商品情報とを決済装置１に送信する（図１における（４））。
【００１９】
決済装置１は、店舗端末３から、決済用コードの取得要求と、決済情報と、特典対象商品情報と、店舗ＩＤとを受信すると、決済用トークンを生成する（図１における（５））。決済用トークンは、店舗端末３がユーザに提示する決済用コードを店舗端末３が生成する際に用いるデータ列である。ここで、決済用トークンは、店舗ＩＤにより特定される特定の店舗の場合のみ生成されてもよい。決済装置１は、生成した決済用トークンと、特典対象商品情報と、店舗ＩＤとを関連付けて記憶媒体に記憶する（図１における（６））。
【００２０】
決済装置１は、生成した決済用トークンを店舗端末３に送信する（図１における（７））。決済装置１は、決済用トークンを暗号化した後に、暗号化した決済用トークンを店舗端末３に送信してもよい。
【００２１】
店舗端末３は、受信した決済用トークンに基づいて決済用コードを生成して表示させる（図１における（８））。
ユーザ端末２は、例えばユーザの操作により、店舗端末３に表示された決済用コードを読み取る（図１における（９））。ユーザ端末２は、ユーザＩＤと、読み取った決済用コードが示す決済用トークンとを決済装置１に送信する（図１における（１０））。
【００２２】
決済装置１は、ユーザ端末２からユーザＩＤと決済用トークンとを受信すると、受信したユーザＩＤに関連付けられて記憶されている申込情報を特定する（図１における（１１））。決済装置１は、受信した決済用トークンが、店舗に送信した決済用トークンと一致するか否かを判定する。決済装置１は、決済用トークンが一致すると判定した場合に、当該決済用トークンに関連付けて記憶されている特典対象商品情報を特定する。決済装置１は、特定した申込情報に含まれている対象商品の商品ＩＤが、特定した特典対象商品情報に含まれる対象商品の商品ＩＤに含まれている場合に、店舗端末３から受信した決済情報が示す決済金額から、特定した申込情報に対応する特典としての割引額を減額した後の金額を、ユーザの決済金額に決定することにより、ユーザに特典を付与し、当該決済金額に基づく決済処理を実行する（図１における（１２））。
【００２３】
なお、決済装置１は、決済用トークンが一致しない場合、決済を行わない。また、決済装置１は、申込情報に含まれている対象商品の商品ＩＤが、特定した特典対象商品情報に含まれる対象商品の商品ＩＤに含まれていない場合には、特典を付与することなく決済処理を実行する。決済装置１は、決済処理が終了すると、決済処理が終了したこと、及び特典の適用結果をユーザ端末２及び店舗端末３の少なくともいずれかに通知する。
【００２４】
決済システムＳが以上のように動作することで、ユーザが予め特典付与の申込を行い、その後、対象商品を含む商品の購入時に、店舗端末３に表示された決済用コードをユーザ端末２で読み取って決済をする通常の処理をするだけで、決済時に対象商品の購入に基づく特典の付与を行うことができる。
以下、決済装置１、ユーザ端末２及び店舗端末３の構成の詳細を説明する。以下の説明においては、特典の内容が、商品の価格の割引である場合を例にして説明する。
【００２５】
［決済装置１の機能構成］
図２は、決済装置１の機能構成を示す図である。決済装置１は、通信部１１と、記憶部１２と、制御部１３とを有する。
【００２６】
通信部１１は、インターネット等のネットワークを介してユーザ端末２及び店舗端末３とデータを送受信するための通信インターフェースである。
【００２７】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、申込受付部１３１、トークン生成部１３２、トークン受信部１３３、特典付与部１３４、及び決済部１３５として機能させる決済用プログラムを記憶する。
【００２８】
また、記憶部１２は、ユーザ端末２から取得した申込情報と、ユーザＩＤとを関連付けて記憶する。また、記憶部１２は、制御部１３が生成した決済用トークンと、特典対象商品情報とを関連付けて記憶する。
【００２９】
制御部１３は、例えばＣＰＵ（Central Processing Unit）である。制御部１３は、記憶部１２に記憶された決済用プログラムを実行することにより、申込受付部１３１、トークン生成部１３２、トークン受信部１３３、特典付与部１３４、及び決済部１３５として機能する。制御部１３の各部の動作の詳細については後述する。
【００３０】
［ユーザ端末２の機能構成］
図３は、ユーザ端末２の機能構成を示す図である。ユーザ端末２は、操作部２１と、通信部２２と、読取部２３と、表示部２４と、記憶部２５と、制御部２６とを有する。制御部２６は、操作受付部２６１と、要求送信部２６２と、トークン送信部２６３とを有する。
【００３１】
操作部２１は、ユーザの操作を受け付ける操作デバイスであり、例えば表示部２４の表面に設けられたタッチパネルである。操作部２１は、ユーザがタッチした位置を示す信号を操作受付部２６１に通知する。
【００３２】
通信部２２は、例えば携帯電話網の基地局との間でデータを送受信するための無線通信インターフェースである。通信部２２は、要求送信部２６２から入力された申込情報を決済装置１に送信する。また、通信部２２は、取得した決済用トークン等を決済装置１に送信する。
【００３３】
読取部２３は、例えば、カメラである。読取部２３は、店舗端末３に表示された決済用コードを読み取る。
表示部２４は、各種の情報を表示するディスプレイである。
【００３４】
記憶部２５は、ＲＯＭ及びＲＡＭ等を含む記憶媒体である。記憶部２５は、制御部２６が実行するプログラムを記憶している。記憶部２５は、制御部２６を、操作受付部２６１、要求送信部２６２、及びトークン送信部２６３として機能させるプログラムを記憶する。
【００３５】
制御部２６は、例えばＣＰＵであり、記憶部２５に記憶されたプログラムを実行することにより、操作受付部２６１、要求送信部２６２及びトークン送信部２６３として機能する。
【００３６】
操作受付部２６１は、操作部２１から入力された信号に基づいて、ユーザの操作内容を特定する。操作受付部２６１は、特定した操作内容が、特典付与の申込操作である場合に、操作内容を要求送信部２６２に通知する。要求送信部２６２は、操作受付部２６１が特典付与の申込操作を受け付けた場合に、通信部２２を介して、ユーザＩＤと、申込情報とを決済装置１に送信する。
【００３７】
操作受付部２６１は、特定した操作内容が、決済用コードを読み取るための操作である場合に、操作内容をトークン送信部２６３に通知する。
【００３８】
トークン送信部２６３は、操作受付部２６１が決済用コードを読み取るための操作を受け付けた場合に、読取部２３に、店舗端末３に表示された決済用コードを読み取らせる。トークン送信部２６３は、読取部２３が、決済用コードから抽出した情報を決済用トークンとして取得する。トークン送信部２６３は、取得した決済用トークンと、ユーザＩＤとを通信部２２を介して決済装置１に送信する。
【００３９】
［店舗端末３の機能構成］
図４は、店舗端末３の機能構成を示す図である。店舗端末３は、例えばＰＯＳ端末であり、操作部３１と、読取部３２と、通信部３３と、表示部３４と、記憶部３５と、制御部３６とを有する。
【００４０】
操作部３１は、ユーザの操作を受け付ける操作デバイスであり、例えばユーザが購入する商品を選択するためのボタンや、表示部３４の表面に設けられたタッチパネルである。
【００４１】
読取部３２は、例えば、バーコードリーダであり、ユーザが購入する商品に付されているバーコードを読み取る。読取部３２は、読み取ったバーコードが示す情報を制御部３６に出力する。
【００４２】
通信部３３は、例えば決済装置１との間でデータを送受信するための通信インターフェースである。通信部３３は、制御部３６の制御に応じて、決済用コードの取得要求、決済情報、特典対象商品情報、店舗ＩＤを決済装置１に送信する。また、通信部３３は、決済装置１から決済用トークンを受信する。
【００４３】
表示部３４は、各種の情報を表示するディスプレイである。表示部３４は、例えば、決済金額や決済用コードを表示する。
【００４４】
記憶部３５は、ＲＯＭ及びＲＡＭ等を含む記憶媒体である。記憶部３５は、制御部３６が実行するプログラムを記憶している。記憶部３５は、制御部３６を、決済情報生成部３６１、対象商品特定部３６２、決済情報送信部３６３、及びコード生成部３６４として機能させるプログラムを記憶する。また、記憶部３５は、商品ＩＤと、商品の価格とを関連付けた商品ＤＢを記憶する。また、記憶部３５は、対象商品を示す商品ＩＤを含む対象商品ＤＢを記憶する。
【００４５】
制御部３６は、例えばＣＰＵであり、記憶部３５に記憶されたプログラムを実行することにより、決済情報生成部３６１、対象商品特定部３６２、決済情報送信部３６３、及びコード生成部３６４として機能する。
【００４６】
決済情報生成部３６１は、決済対象の一以上の商品を特定し、決済情報を生成する。具体的には、決済情報生成部３６１は、操作部３１において店員が入力した商品ＩＤ又は読取部３２が商品に付されたバーコードから読み取った商品ＩＤを取得することにより、取得した商品ＩＤの商品を決済対象の商品と特定する。決済情報生成部３６１は、記憶部３５に記憶されている商品ＤＢを参照し、取得した商品ＩＤに関連付けられている商品の価格を特定する。決済情報生成部３６１は、操作部３１において店員が入力した商品ＩＤ又は読取部３２が商品に付されたバーコードから読み取った商品ＩＤを一以上取得し、当該商品ＩＤから特定した商品の価格を集計する。決済情報生成部３６１は、操作部３１において精算操作を受け付けると、集計した商品の価格を決済金額に決定する。決済情報生成部３６１は、決定した決済金額を含む決済情報を生成する。
【００４７】
対象商品特定部３６２は、決済対象の一以上の商品の中から一以上の対象商品を特定することにより特典対象商品情報を生成する。特典対象商品情報は、店舗端末３が設置されている店舗においてユーザが購入する一以上の商品のうち、特典付与対象の対象商品を特定するための情報である。対象商品特定部３６２は、決済情報生成部３６１が取得した商品ＩＤのうち、記憶部３５に記憶されている対象商品ＤＢに含まれている商品ＩＤを特定する。対象商品特定部３６２は、特定した商品ＩＤの商品を対象商品と特定し、特定した商品ＩＤを特典対象商品情報として生成する。特典対象商品情報には、ユーザ端末２のユーザが特典付与の申込を行っていない対象商品も含まれる。なお、対象商品特定部３６２は、決済情報生成部３６１が取得した商品ＩＤに、記憶部３５に記憶されている対象商品ＤＢに含まれている商品ＩＤが含まれず、対象商品を特定できなかった場合には、特典対象情報を生成しない。
【００４８】
店舗端末３は、ユーザが購入しようとする全ての商品の金額を合算した金額を決済装置１に送信するが、決済装置１は、合算した金額のみを通知された場合、ユーザが購入しようとする商品の中に、対象商品が含まれているか否かを判定できない。このように、店舗端末３が、特典対象商品情報を決済装置１に送信することで、決済装置１が、特典が与えられる商品をユーザが購入するか否かを判定できるので、決済装置１が適切に特典を付与することができる。
【００４９】
決済情報送信部３６３は、決済情報生成部３６１が決済情報を生成し、対象商品特定部３６２が特典対象商品情報を生成すると、通信部３３を介して、決済用コードの取得要求と、決済情報と、特典対象商品情報と、店舗ＩＤとを決済装置１に送信する。なお、決済情報送信部３６３は、対象商品特定部３６２が特典対象情報を生成しなかった場合には、決済用コードの取得要求と、決済情報と、店舗ＩＤとを決済装置１に送信する。
【００５０】
コード生成部３６４は、決済装置１から決済用トークンが送信されると、決済用トークンに基づく決済用コードを生成する。コード生成部３６４は、例えば、予め定められた規則に基づいて決済用コードを生成する。コード生成部３６４は、生成した決済用コードを表示部３４に表示させる。
【００５１】
［制御部１３の各部の動作］
続いて、制御部１３の各部の動作について説明する。
申込受付部１３１は、通信部１１を介して、ユーザＩＤと利用要求とをユーザ端末２から受け付ける。申込受付部１３１は、受け付けたユーザＩＤ及び利用要求をトークン生成部１３２に通知する。
【００５２】
申込受付部１３１は、ユーザから対象商品の購入時における特典付与の申込を受け付ける。具体的には、申込受付部１３１は、ユーザを特定するためのユーザＩＤと、対象商品の購入時における特典付与の申込を示す申込情報とをユーザから取得することにより、特典付与の申込を受け付ける。申込情報には、例えば、店舗を識別する店舗ＩＤ、商品を識別する商品ＩＤ及び特典の内容が含まれている。
【００５３】
ここで、申込受付部１３１は、ユーザ端末２からユーザＩＤと申込情報とを受信することにより、特典付与の申込を受け付けることとしたが、これに限らず、ユーザが使用する他の端末から、ユーザＩＤと申込情報とを受信することにより、特典付与の申込を受け付けてもよい。申込受付部１３１は、ユーザＩＤと申込情報と取得すると、当該申込情報と、当該ユーザＩＤと、申込日時とを関連付けて、申込管理情報として、記憶部１２に記憶させる。
【００５４】
図５は、記憶部１２が記憶している申込管理情報の一例を示す図である。図５に示すように、申込管理情報においては、ユーザＩＤと、申込日時と、申込情報とが関連付けられていることが確認できる。なお、一つの申込情報には、複数の商品ＩＤが含まれていてもよい。
【００５５】
ここで、申込受付部１３１は、ユーザＩＤ及び申込情報を受信すると、申込情報を受信したタイミングで、所定の条件に基づいて、特典付与の申込を受け付けるか否かを判定してもよい。そして、申込受付部１３１は、特典付与の申込を受け付けると判定したことに応じて、受信した申込情報と、ユーザＩＤとを関連付けて、申込管理情報として、記憶部１２に記憶させてもよい。
【００５６】
所定の条件は、複数のユーザ間において申込情報を受信した順番が、所定の順番以内であることであり、申込受付部１３１は、ユーザ端末２から申込情報を受信した順番に基づいて、特典付与の申込を受け付けるか否かを判定してもよい。また、所定の条件は、抽選において当選することであってもよく、申込受付部１３１は、抽選に基づいて特典付与の申込を受け付けるか否かを判定してもよい。このようにすることで、決済装置１は、特典付与の申込時に、申込を受け付けるユーザの絞り込みを行うことができる。
【００５７】
トークン生成部１３２は、店舗端末３から、決済情報と特典対象商品情報と店舗ＩＤとを受け付けるとともに、決済用コードの取得要求を受け付けると、決済用コードを生成するための決済用トークンを生成する。トークン生成部１３２は、生成した決済用トークンと、決済情報と、特典対象商品情報と、店舗ＩＤとを関連付けて記憶部１２に記憶させる。また、トークン生成部１３２は、生成した決済用トークンを、決済用コードの取得要求を送信した店舗端末３に送信する。なお、トークン生成部１３２は、店舗端末３から、決済情報と特典対象商品情報と店舗ＩＤとを受け付けるとともに、決済用コードの取得要求を受け付けたが、決済情報と特典対象商品情報と店舗ＩＤとを受け付けるタイミングと、決済用コードの取得要求を受け付けるタイミングとは異なっていてもよい。また、トークン生成部１３２は、店舗ＩＤ示す店舗が特定の店舗である場合のみ決済用トークンを生成してもよい。
【００５８】
トークン受信部１３３は、決済用トークンに基づいて店舗端末３が表示した決済用コードを読み取ったユーザ端末２から、決済用トークンと、ユーザＩＤとを受信する。なお、トークン受信部１３３は、ユーザ端末２から、決済用トークンと、ユーザＩＤとを受信するとともに、店舗ＩＤも受信してもよい。例えば、店舗端末３が、店舗ＩＤ又は店舗ＩＤを示すコードを表示させ、ユーザ端末２が、当該店舗ＩＤを読み取ったり、コードを読み取り、当該コードから店舗ＩＤを抽出したりして、当該店舗ＩＤを決済装置１に送信する。
【００５９】
特典付与部１３４は、トークン受信部１３３が、ユーザ端末２から決済用トークンとユーザＩＤとを受信すると、受信した決済用トークンが、記憶部１２に記憶されているか否かを判定する。特典付与部１３４は、受信した決済用トークンが、記憶部１２に記憶されていると判定すると、受信したユーザＩＤに関連付けられて記憶部１２に記憶されている申込情報を特定する。また、特典付与部１３４は、受信した決済用トークンが、記憶部１２に記憶されていると判定すると、受信した決済用トークンに関連付けられて記憶部１２に記憶されている特典対象商品情報を特定する。
【００６０】
特典付与部１３４は、特典対象商品情報を特定できた場合において、特定した申込情報と、当該特典対象商品情報とが対応しているとき、ユーザに申込情報に対応する特典を付与する。例えば、特典付与部１３４は、特定した申込情報に含まれている商品ＩＤが、特定した特典対象商品情報に含まれている場合、申込情報と、特典対象商品情報とが対応していると判定する。
【００６１】
そして、特典付与部１３４は、特典対象商品情報と対応している申込情報に含まれている特典内容に基づいて、ユーザに特典を付与する。ここでは、決済用トークンに関連付けて記憶されている決済情報が示す決済金額から、特典内容に示される割引額が減算される。
【００６２】
例えば、特典対象商品情報として、「ｉ３８２」、「ｉ３５５」、「ｉ９００」が含まれており、特定した申込情報に含まれる商品ＩＤが「ｉ３８２」であるとする。また、ユーザが店舗で買物をした商品の合計額が３０００円であるとする。
【００６３】
この場合、特典付与部１３４は、特典対象商品情報の中に含まれている商品ＩＤ「ｉ３８２」が特定した申込情報にも含まれているので、申込管理情報において当該商品ＩＤに関連付けられている特典の内容「５０円割引」に基づいて、３０００円から５０円を減算した２９５０円をユーザの決済金額に決定する。
【００６４】
仮に、特定された申込情報に、商品ＩＤ「ｉ３５５」が含まれていない場合、ユーザが商品ＩＤ「ｉ３５５」の商品を購入しても、特定した申込情報と、店舗端末３から受信した特典対象商品情報とが対応しないため、特典は付与されない。
【００６５】
ここで、特典付与部１３４は、申込情報と、特典対象商品情報とが対応していると判定するとともに、特定した申込情報に含まれている店舗ＩＤが、決済用トークンに関連付けて記憶されている店舗ＩＤと一致していると判定すると、ユーザに特典を付与してもよい。また、特典付与部１３４は、ユーザ端末２から店舗ＩＤを受信した場合、申込情報と、特典対象商品情報とが対応していると判定するとともに、受信した店舗ＩＤが申込情報に含まれている店舗ＩＤと一致したことに応じて、ユーザに特典を付与してもよい。このようにすることで、ユーザが特定の店舗において対象商品を購入する場合に特典を付与することができる。
【００６６】
また、特典付与部１３４は、特定した特典対象商品情報に、一つの申込情報に含まれる複数の商品が含まれている場合に、当該申込情報に対応する特典をユーザに付与してもよい。特典付与部１３４は、例えば、特定した申込情報に複数の商品ＩＤが含まれている場合、特定した特典対象商品情報に当該複数の商品ＩＤが含まれているときに、申込情報と、特典対象商品情報とが対応していると判定し、ユーザに特典を付与する。このようにすることで、決済装置１は、申込情報に対応する複数の商品が同時に購入された場合に特典を付与することができる。
【００６７】
なお、特典付与部１３４は、ユーザの対象商品の購入回数に基づいて、申込情報に対応する特典を付与してもよい。この場合、記憶部１２に、ユーザが購入した対象商品の商品ＩＤと、当該ユーザのユーザＩＤと、対象商品の購入日時とを関連付けた購入履歴情報を記憶させておく。特典付与部１３４は、特定した申込情報と、特典対象商品情報とが対応していると判定した場合に、購入履歴情報を参照し、当該申込情報に含まれている対象商品の購入回数を特定する。特典付与部１３４は、対象商品の購入回数が予め定められた購入回数と一致した場合に、申込情報に対応する特典を付与する。
【００６８】
また、特典付与部１３４は、ユーザが申込情報に対応する対象商品を初めて購入した場合に、当該申込情報に対応する特典を付与してもよい。この場合、特典付与部１３４は、特定した申込情報と、特典対象商品情報とが対応していると判定した場合に、購入履歴情報を参照し、当該申込情報に含まれている対象商品が過去に購入されていないかを特定する。特典付与部１３４は、対象商品が過去に購入されていないことを特定すると申込情報に対応する特典を付与する。このようにすることで、決済装置１は、対象商品の初購入を条件として特典を付与することができる。
【００６９】
また、特典付与部１３４は、申込情報を受信した順番に基づいて、申込情報に対応する特典を付与してもよい。この場合、特典付与部１３４は、特定した申込情報と、特典対象商品情報とが対応していると判定した場合に、記憶部１２に記憶されている申込管理情報を参照し、ユーザを含む全ユーザのそれぞれの当該申込情報の申込日時を参照し、当該ユーザが特典付与の申込を行った順番を特定する。特典付与部１３４は、当該ユーザが特典付与の申込を行った順番が、予め定められた順番以内である場合に、申込情報に対応する特典を付与する。このようにすることで、ユーザに、早期に特典付与の申込を行わせることができる。
【００７０】
また、特典付与部１３４は、抽選に基づいて、申込情報に対応する特典を付与してもよい。この場合、特典付与部１３４は、特定した申込情報と、特典対象商品情報とが対応していると判定した場合に、抽選を行い、ユーザが当選したか否かを判定する。特典付与部１３４は、当該ユーザが当選したと判定すると、申込情報に対応する特典を付与する。このようにすることで、特典が付与されるユーザを抑制し、特典を提供する側における、特典の付与に係る費用を抑制することができる。
【００７１】
決済部１３５は、決済用トークンに関連付けられて記憶されている店舗ＩＤと、ユーザ端末２から決済用トークンとともに受信したユーザＩＤと、特典付与部１３４が決定した決済金額とに基づいて決済を行う。
【００７２】
例えば、決済部１３５は、ユーザ端末２から決済用トークンとともに受信したユーザＩＤで特定されるユーザの口座から決済金額を引き落とす処理を実行する。そして、決済部１３５は、決済用トークンに関連付けられて記憶されている店舗ＩＤで特定される店舗の口座に決済金額を入金する処理を実行してもよい。決済部１３５は、決済金額から、決済装置１における決済手数料を差し引いた金額を、店舗の口座に入金してもよい。決済部１３５は、決済金額の決済が完了した場合、支払いが完了したことをユーザ端末２及び店舗端末３に通知する。また、決済部１３５は、特典付与部１３４によりユーザに特典が付されたことを示す情報をユーザ端末２に通知するとともに、ユーザに付された特典を示す情報として、割引額を示す情報をユーザ端末２に通知する。
【００７３】
［動作シーケンス］
図６は、決済システムＳの動作シーケンス図である。
図６に示すシーケンス図は、ユーザがユーザ端末２において特典付与の申込操作をしたところから開始している（Ｓ１）。ユーザ端末２の要求送信部２６２は、ユーザが特典付与の申込操作を行うと、ユーザＩＤと、申込情報とを決済装置１に送信する（Ｓ２）。
【００７４】
決済装置１の申込受付部１３１は、ユーザＩＤと、申込情報とを受信すると、ユーザＩＤと、申込情報と、申込日時とを関連付けて、申込管理情報として記憶部１２に記憶させる（Ｓ３）。
【００７５】
店舗において、ユーザは、購入する商品を選択し、店舗端末３を使用する店員に選択した商品を持ち込む。店舗端末３の決済情報生成部３６１は、操作部３１において店員が入力した商品ＩＤ又は読取部３２が商品に付されたバーコードから読み取った商品ＩＤを取得し、当該商品ＩＤに関連付けられている商品の価格を特定することにより、決済金額を算出する。決済情報生成部３６１は、決済金額を含む決済情報を生成する（Ｓ４）。また、店舗端末３の対象商品特定部３６２は、決済対象の一以上の商品の中から一以上の対象商品を特定することにより特典対象商品情報を生成する（Ｓ５）。
【００７６】
決済情報送信部３６３は、Ｓ４において決済情報を生成され、Ｓ５において特典対象商品情報が生成されると、決済用コードの取得要求と、決済情報と、特典対象商品情報と、店舗ＩＤとを決済装置１に送信する（Ｓ６）。
【００７７】
決済装置１のトークン生成部１３２は、決済用コードの取得要求と、決済情報と、特典対象商品情報と、店舗ＩＤとを取得すると、決済用コードを生成するための決済用トークンを生成する（Ｓ７）。トークン生成部１３２は、生成した決済用トークンと、決済情報と、特典対象商品情報と、店舗ＩＤとを関連付けて記憶部１２に記憶させる（Ｓ８）。トークン生成部１３２は、生成した決済用トークンを、決済用コードの取得要求を送信した店舗端末３に送信する（Ｓ９）。
【００７８】
店舗端末３のコード生成部３６４は、決済装置１から受信した決済用トークンに基づく決済用コードを生成し、生成した決済用コードを表示部３４に表示させる（Ｓ１０）。ユーザは、ユーザ端末２を操作して、店舗端末３に表示された決済用コードをユーザ端末２に読み取らせる（Ｓ１１）。ユーザ端末２のトークン送信部２６３は、決済用コードから得られる決済用トークンと、ユーザＩＤとを決済装置１に送信する（Ｓ１２）。
【００７９】
特典付与部１３４は、トークン受信部１３３がユーザ端末２から決済用トークンとユーザＩＤとを受信すると、受信したユーザＩＤに関連付けられて記憶部１２に記憶されている申込情報を特定する（Ｓ１３）。また、特典付与部１３４は、受信した決済用トークンに関連付けられて記憶部１２に記憶されている特典対象商品情報を特定する（Ｓ１４）。
【００８０】
そして、特典付与部１３４は、特定した申込情報と、特典対象商品情報とが対応している場合に、ユーザに申込情報に対応する特典を付与する（Ｓ１５）。ここでは、特典として、決済用トークンに関連付けられている決済情報が示す決済金額からの割引が行われる。
【００８１】
続いて、決済部１３５は、決済用トークンに関連付けられている店舗ＩＤと、決済用トークンとともに受信したユーザＩＤと、特典付与部１３４が決定した決済金額とに基づいて決済を行う（Ｓ１６）。
【００８２】
［変形例］
以上の説明においては、店舗端末３は、ユーザが商品を購入する際に決済用コードの取得要求を決済装置１に行ったが、これに限らない。例えば、店舗において、金額が同じ商品のみ取り扱われ、ユーザの商品の購入金額が一定である場合には、ユーザが商品を購入する前に、店舗端末３が、決済情報と、特典対象商品情報と、決済用コードの取得要求とを決済装置１に予め送信してもよい。
【００８３】
図７は、ユーザが商品を購入する前に、店舗端末３が決済用コードの取得要求を行うときの決済システムＳの動作シーケンス図である。
【００８４】
図７に示すように、まず、決済情報送信部３６３は、決済用コードの取得要求と、決済情報と、特典対象商品情報と、店舗ＩＤとを決済装置１に送信する（Ｓ２１）。
決済装置１のトークン生成部１３２は、店舗端末３から、決済情報と、特典対象商品情報と、店舗ＩＤと、決済用コードの取得要求を受け付けると、決済用トークンを生成する（Ｓ２２）。トークン生成部１３２は、生成した決済用トークンと、決済情報と、特典対象商品情報と、店舗ＩＤとを関連付けて記憶部１２に記憶させる（Ｓ２３）。また、トークン生成部１３２は、生成した決済用トークンを、決済用コードの取得要求を送信した店舗端末３に送信する（Ｓ２４）。
【００８５】
コード生成部３６４は、決済装置１から決済用トークンを受信すると、決済用トークンを記憶部３５に記憶させる（Ｓ２５）。
【００８６】
その後、ユーザがユーザ端末２において特典付与の申込操作を行うと（Ｓ２６）、ユーザ端末２の要求送信部２６２は、ユーザＩＤと、申込情報とを決済装置１に送信する（Ｓ２７）。決済装置１の申込受付部１３１は、ユーザＩＤと、申込情報とを受信すると、ユーザＩＤと、申込情報と、申込日時とを関連付けて、申込管理情報として記憶部１２に記憶させる（Ｓ２８）。
【００８７】
店舗において、ユーザは、購入する商品を選択し、店舗端末３を使用する店員に選択した商品を持ち込む。ここで、上述したように、店舗において、金額が同じ商品のみ取り扱い、ユーザの購入金額が商品の種別にかかわらず常に一定であることから、店舗端末３のコード生成部３６４は、記憶部３５に記憶されている決済用トークンに基づく決済用コードを生成し、生成した決済用コードを表示部３４に表示させる（Ｓ２９）。ユーザは、ユーザ端末２を操作して、店舗端末３に表示された決済用コードをユーザ端末２に読み取らせる（Ｓ３０）。ユーザ端末２のトークン送信部２６３は、決済用コードから得られる決済用トークンと、ユーザＩＤとを決済装置１に送信する（Ｓ３１）。
【００８８】
以降、特典付与部１３４は、図６に示すＳ１３〜１５の処理と同じ処理を行い、ユーザに特典を付与する（Ｓ３２〜Ｓ３４）。ここでは、特典として、決済金額からの割引が行われる。決済部１３５は、図６に示すＳ１６の処理と同様に決済を行う（Ｓ３５）。
【００８９】
なお、本シーケンスにおいて、コード生成部３６４が、ユーザが商品を購入する際に、記憶部３５に記憶されている決済用トークンに基づいて決済用コードを生成し、表示部３４に表示させたが、これに限らない。店舗端末３の店員は、店舗端末３に決済用コードを表示させる代わりに、決済用コードを予め紙等に印刷しておき、ユーザが商品を購入する際に、紙等に印刷された決済用コードをユーザに提示してもよい。
【００９０】
［決済システムＳによる効果］
以上説明したように、決済装置１は、ユーザＩＤと、対象商品の購入時における特典付与の申込を示す申込情報とを取得すると、当該ユーザＩＤと、申込情報とを関連付けて記憶部１２に記憶させる。決済装置１は、店舗端末３から、決済情報と、特典対象商品情報と、決済用コードの取得要求とを受け付けると、決済用トークンを生成し、生成した決済用トークンを特典対象商品情報と関連付けて記憶部１２に記憶させるとともに、店舗端末３に送信する。店舗端末３は、受信した決済用トークンに基づく決済用コードを作成する。決済装置１は、決済用トークンに基づいて店舗端末３が表示した決済用コードを読み取ったユーザ端末２から、ユーザＩＤと、決済用トークンとを受信すると、受信したユーザＩＤに関連付けられている申込情報を特定するとともに、受信した決済用トークンに関連付けられている特典対象商品情報を特定する。そして、決済装置１は、特定した申込情報と、特典対象商品情報とが対応している場合に、ユーザに申込情報に対応する特典を付与する。このようにすることで、店舗の店員は、決済用コードを読み取るだけで精算処理をすることができ、かつユーザ端末２のユーザは、決済時に特典による割引を受けることができるので、特典の付与を伴う電子決済の決済処理が簡略になる。
【００９１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００９２】
１  決済装置
２  ユーザ端末
３  店舗端末
１１  通信部
１２  記憶部
１３  制御部
２１  操作部
２２  通信部
２３  読取部
２４  表示部
２５  記憶部
２６  制御部
３１  操作部
３２  読取部
３３  通信部
３４  表示部
３５  記憶部
３６  制御部
１３１  申込受付部
１３２  トークン生成部
１３３  トークン受信部
１３４  特典付与部
１３５  決済部
２６１  操作受付部
２６２  要求送信部
２６３  トークン送信部
３６１  決済情報生成部
３６２  対象商品特定部
３６３  決済情報送信部
３６４  コード生成部
【図１】
0006857698.tif 000002
【図２】
0006857698.tif 000003
【図３】
0006857698.tif 000004
【図４】
0006857698.tif 000005
【図５】
0006857698.tif 000006
【図６】
0006857698.tif 000007
【図７】
0006857698.tif 000008